Podtech/llm-jp-corpus-v4-ja_patent huggingface dataset:
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
無線充電式電池装置であって、
規格化された電池のフォームファクタに適合する寸法で構成された筐体と、
前記筐体内に位置し、無線充電システムからワイヤレス無線周波数（ＲＦ）電力を受信するように構成された１つ以上のアンテナと、
前記筐体内に位置し、前記受信した無線ＲＦ電力を直流（ＤＣ）電力に変換するように構成された１つ以上の電子回路基板と、
前記ＤＣ電力を電池駆動式機器に供給するように構成された１つ以上の出力ポートまたはキャップと、
前記ＤＣ電力を蓄電するように構成された１つ以上の電池モジュールと、
を含む、無線充電式電池装置。
【請求項２】
前記筐体は、前記１つ以上のアンテナを含む、請求項１に記載の無線充電式電池装置。
【請求項３】
前記筐体は、無線周波数（ＲＦ）透過性材料で構成される、請求項１に記載の無線充電式電池装置。
【請求項４】
前記筐体は、前記電池駆動式機器内の前記無線充電式電池装置の特定の配置を指定する外部インジケータを含む、請求項１に記載の無線充電式電池装置。
【請求項５】
前記筐体は、
取り外し可能な上部カバー部分および下部カバー部分と、
前記筐体の各端部に位置し、前記電池駆動式機器の電池接触部分と接触している場合に、前記変換された無線電力を前記電池駆動式機器に供給するように構成された端子キャップと、
を含む、請求項１に記載の無線充電式電池装置。
【請求項６】
前記１つ以上のアンテナの少なくとも１つは、薄膜、銅テープまたは印刷された金属を使用して構成された３次元アンテナを含む、請求項１に記載の無線充電式電池装置。
【請求項７】
前記１つ以上の電池モジュールは、前記１つ以上のアンテナの少なくとも１つの接地面として使用される、請求項１に記載の無線充電式電池装置。
【請求項８】
前記筐体の内面または外面に位置する１つ以上の反射面または導波面をさらに含む、請求項１に記載の無線充電式電池装置。
【請求項９】
前記１つ以上の反射面または導波面の少なくとも１つは、薄膜、銅テープまたは印刷された金属を使用して構成される、請求項８に記載の無線充電式電池装置。
【請求項１０】
前記１つ以上の電池モジュールを前記１つ以上のアンテナのうちの少なくとも１つから分離するように構成された誘電体をさらに含み、前記誘電体が可撓性材料で構成されており、前記１つ以上の電子回路基板の少なくとも１つは、フレキシブルプリント回路基板（ＰＣＢ）を含む、請求項１に記載の無線充電式電池装置。
【請求項１１】
前記１つ以上のアンテナは、前記筐体の内周の周りに位置するか、または前記筐体の外周の周りに位置する、請求項１に記載の無線充電式電池装置。
【請求項１２】
前記規格化された電池のフォームファクタは、円筒形または非円筒形の電池、カメラ電池、ボタン電池のうちの１つを含む、請求項１に記載の無線充電式電池装置。
【請求項１３】
前記規格化された電池のフォームファクタは、単三形（ＡＡ）、単四形（ＡＡＡ）、単二形（Ｃ）、単一形（Ｄ）、４．５ボルト、９ボルト、ランタン（バネ）用の電池のうちの１つを含む、請求項１に記載の無線充電式電池装置。
【請求項１４】
複数の電池構成を使用する前記電池駆動式機器を検出し、前記複数の電池に基づいて、１つ以上の電池モジュールの出力電圧を応答的に設定および再設定するように動作可能な電圧設定モジュール、
をさらに含む、請求項１に記載の無線充電式電池装置。
【請求項１５】
前記電圧設定モジュールは、前記複数の電池構成を、ユーザもしくは無線充電器の入力に基づいて、または１つ以上のダミー電池の存在または検出に基づいて、前記複数の電池構成を検出するように動作可能である、請求項１４に記載の無線電池装置。
【請求項１６】
複数の蓄電セルをさらに含み、前記電圧設定モジュールは、前記複数の蓄電セルの構成を変更することによって前記電池の出力を設定および再設定するように動作可能である、請求項１に記載の無線充電式電池装置。
【請求項１７】
電子機器用の無線充電式電池装置であって、前記無線充電式電池装置は、
規格化された電池寸法に適合する寸法で構成された筐体と、
前記筐体内に配置され、無線充電システムから無線電力を受信し、前記無線電力を１つ以上の電池モジュールに蓄電するのに適した媒体に変換し、前記変換された無線電力を前記１つ以上の電池モジュールに蓄電する無線電力受信機と、
前記電子機器の電池接触部分と接触している場合に、前記変換された無線電力を前記電子機器に供給するように構成された端子キャップと、
を含む、無線充電式電池装置。
【請求項１８】
前記無線電力受信機は、
無線充電システムからワイヤレス無線周波数（ＲＦ）電力を受信するように構成された１つ以上のアンテナと、
前記筐体内に位置し、受信した前記無線ＲＦ電力を直流（ＤＣ）電力に変換するように構成された１つ以上の電子回路基板と、
前記ＤＣ電力を蓄電するように構成された１つ以上の電池モジュールと
を含む、請求項１７に記載の無線充電式電池装置。
【請求項１９】
無線充電式電池装置であって、
各々が規格化された電池寸法を有する複数の規格化された電池の総寸法に適合する寸法で構成された筐体と、
前記筐体内に位置し、無線充電システムからワイヤレス無線周波数（ＲＦ）電力を受信するように構成された１つ以上のアンテナと、
前記筐体内に位置し、前記受信した無線ＲＦ電力を直流（ＤＣ）電力に変換するように構成された１つ以上の電子回路基板と、
前記ＤＣ電力を蓄電するように構成された１つ以上の電池モジュールと、
を含む、無線充電式電池装置。
【請求項２０】
前記複数の規格化された電池は、並列に接続されるかまたは直列に接続される、請求項１９に記載の無線充電式電池装置。
【手続補正書】
【提出日】令和3年9月2日(2021.9.2)
【手続補正１】
【補正対象書類名】明細書
【補正対象項目名】００４０
【補正方法】変更
【補正の内容】
【００４０】
第１スリットＳ１の終端には第１本体部分３２が位置している。第１スリットＳ１は周方向に沿って第１本体部分３２の中間部まで入り込むように形成されている。第１スリットＳ１は共通接線Ｌ４と第１棒状部８１との接点まで達していない。第１本体部分３２の一部は軸方向に沿って第１嵌合部分２２とつながっている。
【手続補正２】
【補正対象書類名】明細書
【補正対象項目名】００７６
【補正方法】変更
【補正の内容】
【００７６】
＜効果等＞
以上のように構成された支持部材１０、支持部材付き配線部材及び配線部材の取付構造によると、支持部材１０が嵌合部２０によって、複数の棒状部８１、８２が径方向に連結された棒状部材８０に取付けられる。この支持部材１０を用いることにより、複数の棒状部８１、８２が径方向に連結された棒状部材８０に配線部材５０を支持させることが可能となる。
【手続補正３】
【補正対象書類名】明細書
【補正対象項目名】００８８
【補正方法】変更
【補正の内容】
【００８８】
１０  支持部材
２０  嵌合部
２２  第１嵌合部分
２４  第２嵌合部分
２６  結合部分
２８  係止突起
３０  本体部
３２  第１本体部分
３４  第２本体部分
３６  第３本体部分
４０  取付部
４１  第１取付部
４２  突出片
４３  係止部
４４  柱部
４５  傘部
４６  第２取付部
４７  突出片
４８  孔
５０  配線部材
５２  シート付配線体
６０  線状伝送部材
６２  芯線
６４  絶縁被覆
７０  シート
７１  シート本体
７２  第１シート本体
７３  第２シート本体
７４  第３シート本体
７６  取付片
７７  孔
８０  棒状部材
８１  第１棒状部
８２  第２棒状部
８３  連結部分
８４  係止凹部
８５  連結部位
８６  第１部位
８７  第２部位
９０  第１部位用支持部材
９１  嵌合部
９２  本体部
９３  取付部
９４  スリット
１００  第２部位用支持部材
１０１  嵌合部
１０２  本体部
１０３  取付部
１０４  スリット
Ｃ  コネクタ
Ｈ  ハウジング
Ｈｃ  カセット
Ｓ  スリット
Ｓ１  第１スリット
Ｓ２  第２スリット
Ｌ１、Ｌ２、Ｌ３、Ｌ４、Ｌ５、Ｌ６  線
Ｃ１、Ｃ２  中心
ａ１、ａ２、ａ３、ａ４  角
ｄ１、ｄ２  寸法
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
所定の電力が供給されている場合に所定の遊技処理を実行可能な遊技処理実行手段と、
所定状態で前記所定の電力が断たれた電断であると判定した場合に所定の電断処理を実行可能な電断処理実行手段と、
を備え、
電断後に所定の方法で前記所定の電力が供給された場合に遊技可能な状態となり得る遊技機であって、
第１位置と第２位置に変位可能であり、前記第１位置の場合は非通電状態となり、前記第２位置の場合は通電状態となり得る変位手段と、
電断中に所定情報を保持可能な記憶手段と、
電断後に前記所定の電力が供給された場合に前記記憶手段に記憶されている前記所定情報を判定する手段と、
前記変位手段の状態を判定可能な状態判定手段と、
当該遊技機に前記所定の電力が供給された場合に、前記状態判定手段によって、第１状態であると判定された場合は第１処理を実行し、第２状態であると判定された場合は第２処理を実行する処理実行手段と、
を備えることを特徴とする遊技機。
【請求項２】
当該遊技機が起動してからの経過時間に基づいて所定演出を実行可能な所定演出実行手段を備え、
前記処理実行手段は、前記状態判定手段によって前記第１状態であると判定された場合に前記所定演出実行手段による前記所定演出の実行を不可能な状態に設定する手段を備える
ことを特徴とする遊技機。
【請求項３】
請求項１または請求項２に記載の遊技機であって、
前記処理実行手段は、前記状態判定手段によって前記第２状態であると判定された場合に前記変位手段を前記第１位置に変位させる手段を備える
ことを特徴とする遊技機。
【請求項４】
請求項１から請求項３のいずれか一つに記載の遊技機であって、
画像を表示可能な画像表示手段を備え、
前記処理実行手段は、前記状態判定手段によって前記第１状態であると判定された場合に所定画像を前記画像表示手段に表示させる手段を備える
ことを特徴とする遊技機。
【請求項５】
請求項１から請求項４のいずれか一つに記載の遊技機であって、
遊技球を発射可能な発射手段と、
前記処理実行手段が前記第２処理を実行する場合、前記所定の電力の供給が開始された後の所定期間に予め定められた所定条件が成立することに基づいて前記発射手段による遊技球の発射を可能にする手段と、
を備えることを特徴とする遊技機。
【手続補正２】
【補正対象書類名】明細書
【補正対象項目名】０００７
【補正方法】変更
【補正の内容】
【０００７】
[形態]（本形態は、主に、下記の第１２実施形態及びその変形例１〜１１に基づく）
所定の電力が供給されている場合に所定の遊技処理を実行可能な遊技処理実行手段と、
所定状態で前記所定の電力が断たれた電断と判定した場合に所定の電断処理を実行可能な電断処理実行手段と、
を備え、
電断後に所定の方法で前記所定の電力が供給された場合に遊技可能な状態となり得る遊技機であって、
第１位置と第２位置に変位可能であり、前記第１位置の場合は非通電状態となり、前記第２位置の場合は通電状態となり得る変位手段と、
電断中に所定情報を保持可能な記憶手段と、
電断後に前記所定の電力が供給された場合に前記記憶手段に記憶されている前記所定情報を判定する手段と、
前記変位手段の状態を判定可能な状態判定手段と、
当該遊技機に前記所定の電力が供給された場合に、前記状態判定手段によって、第１状態であると判定された場合は第１処理を実行し、第２状態であると判定された場合は第２処理を実行する処理実行手段と、
を備えることを特徴とする遊技機。
【手続補正書】
【提出日】令和3年5月11日(2021.5.11)
【手続補正１】
【補正対象書類名】明細書
【補正対象項目名】００４３
【補正方法】変更
【補正の内容】
【００４３】
毛細管Ｃ、接続管Ｊ及び往復チューブＴ１は、それぞれが吸熱用管路Ｐ及び継手Ｆ１〜Ｆ３を介して、接続されており、冷媒が冷却器１と圧縮機２との間を循環するための流路の一部を構成している。
【手続補正書】
【提出日】令和3年10月25日(2021.10.25)
【手続補正１】
【補正対象書類名】明細書
【補正対象項目名】００２２
【補正方法】変更
【補正の内容】
【００２２】
入力信号の種別に基づいて、入力増幅部１１１又は入力スイッチ部１１２が動作する。増幅装置１１は、入力１端子に入力する入力信号、入力２端子に入力する入力信号、並びに制御１端子に入力する制御信号に基づいて、入力増幅部１１１を動作させ入力スイッチ部１１２を停止させる状態と、入力スイッチ部１１２が動作させ入力増幅部１１１を停止させる状態を制御する。
【手続補正２】
【補正対象書類名】明細書
【補正対象項目名】００８２
【補正方法】変更
【補正の内容】
【００８２】
増幅装置４１の入力２端子に定包絡線信号が入力された場合、定包絡線信号によって入力スイッチ部１１２が動作し、制御２端子から入力する第２制御信号によってゲート接地増幅部１１３の動作する個数を制御する。定包絡線信号によって開閉するスイッチの個数が変化する。
【手続補正書】
【提出日】令和3年10月12日(2021.10.12)
【手続補正１】
【補正対象書類名】明細書
【補正対象項目名】００１４
【補正方法】変更
【補正の内容】
【００１４】
＜実施形態１＞
実施形態１の車載用バックアップ電源装置１（以下、電源装置１ともいう）は、図１に示すように、電池部１０、電圧変換部１１、制御部１２を有している。電池部１０は、例えば、複数の単位電池１０Ａ（セル）からなるリチウムイオンバッテリ等が用いられる。電池部１０は、例えば、ハイブリッド自動車又は電気自動車（ＥＶ（Electric Vehicle））などの車両における電動駆動装置（モータ等）を駆動するための電力を出力する電源として用いられる。電池部１０は、リチウムイオンバッテリとして構成された単位電池１０Ａが複数個直列に接続された形でモジュールとして構成された１つの変換対象部１０Ｂが構成され、この変換対象部１０Ｂが複数個直列に接続された形で所望の出力電圧を出力し得る構成とされている。
【手続補正２】
【補正対象書類名】明細書
【補正対象項目名】００３２
【補正方法】変更
【補正の内容】
【００３２】
本開示の車載用バックアップ電源装置１の制御部１２は、第２条件の成立に応じ、複数のコンバータ１１Ａ，１１Ｂに充電動作と放電動作とを交互に繰り返す動作を行わせる。
このように構成されていればコンバータ１１Ａ，１１Ｂが充電動作又は放電動作のいずれかのみを行うことがない。このため、各単位電池１０Ａの充電の状態が過充電又は過放電の状態になることを抑えることができ、コンバータ１１Ａ，１１Ｂが充電動作又は放電動作のいずれかの動作を継続して行うことができる。このため、車載用バックアップ電源装置１は電池部１０の温度を良好に上昇させることができる。
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
遊技盤に配設された始動部品への遊技球の入球に応じて取得される始動情報に基づいて、設定された設定値に応じた抽選確率により、遊技者にとって有利な特別遊技の実行の可否に関する抽選を実行する当否抽選手段と、
前記当否抽選手段による前記抽選の結果が所定の結果であることに基づいて、前記特別遊技を実行する特別遊技実行手段と、
前記当否抽選手段による前記抽選の結果を報知する所定の図柄を変動表示可能な演出表示装置を制御する演出制御手段と、を備えた遊技機であって、
前記演出制御手段は、前記特別遊技の実行に応じて演出の信頼度が変化するように設定された複数のテーブルから選択される特定のテーブルに基づいて、前記設定値に関する情報を示唆する設定示唆演出を前記演出表示装置に表示可能としたことを特徴とする遊技機。
【請求項２】
前記演出制御手段は、前記特別遊技が特定の特別遊技であるとき、当該特定の特別遊技前よりも前記演出の信頼度が向上した特定のテーブルに基づいて、前記設定示唆演出を前記演出表示装置に表示可能としたことを特徴とする請求項１記載の遊技機。
【手続補正２】
【補正対象書類名】明細書
【補正対象項目名】０００６
【補正方法】変更
【補正の内容】
【０００６】
上記課題を解決するための本発明の構成として、遊技盤に配設された始動部品への遊技球の入球に応じて取得される始動情報に基づいて、設定された設定値に応じた抽選確率により、遊技者にとって有利な特別遊技の実行の可否に関する抽選を実行する当否抽選手段と、当否抽選手段による抽選の結果が所定の結果であることに基づいて、特別遊技を実行する特別遊技実行手段と、当否抽選手段による抽選の結果を報知する所定の図柄を変動表示可能な演出表示装置を制御する演出制御手段とを備えた遊技機であって、演出制御手段は、特別遊技の実行に応じて演出の信頼度が変化するように設定された複数のテーブルから選択される特定のテーブルに基づいて、設定値に関する情報を示唆する設定示唆演出を演出表示装置に表示可能とした。
また、演出制御手段は、特別遊技が特定の特別遊技であるとき、当該特定の特別遊技前よりも演出の信頼度が向上した特定のテーブルに基づいて、設定示唆演出を表示可能としても良い。
なお、上記発明の概要は、本発明の必要な特徴の全てを列挙したものではなく、特徴群を構成する個々の構成もまた発明となり得る。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
長手ロッド状の柄部の先端に、前記柄部に垂直な方向に配されたネックを設け、前記ネックの先端に、前記柄部および前記ネックのそれぞれに垂直な方向に配された、扁平形状の植毛基台を、厚さ方向が前記柄部と平行となるように設け、前記植毛基台の扁平面の前記柄部側に、多数本の刷毛を、前記柄部と平行な方向に植設してなることを特徴とする、裏面用歯ブラシ。
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
主原料粉と、水と、副原料と、を混捏し生地を作製する工程と、
作製した前記生地より麺線を作製する工程と、を含む生中華麺の製造方法であって、
前記副原料は、食塩を含まず、
前記副原料は、乳酸カリウム、かん水及び焼成カルシウム、を含み、
前記乳酸カリウムは、主原料粉の総重量に対して、１．５〜３重量％含むことを特徴と
する生中華麺の製造方法。
【請求項２】
主原料粉と、水と、副原料と、を混捏し生地を作製する工程と、
作製した前記生地より麺線を作製する工程と、
作製した前記麺線をα化する工程と、
α化した前記麺線を冷凍トレーに充填し、冷凍して冷凍麺塊を作製する工程と、
冷凍した前記冷凍麺塊を冷凍トレーから取り出すこと工程と、を含む冷凍中華麺の製造
方法であって、
前記副原料は、食塩を含まず、
前記副原料は、乳酸カリウム、かん水及び焼成カルシウム、を含み、
前記乳酸カリウムは、主原料粉の総重量に対して、１．５〜３重量％含むことを特徴と
する冷凍中華麺の製造方法。
【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
前扉により閉鎖される筐体と、
所定の制御基板と、
前記所定の制御基板を収容する所定の基板ケースと、
リセットボタンと、
マックスベットボタンと
を備え、
前扉と筐体とが施錠可能であり、
前記所定の基板ケースは筐体内部に取り付けられるよう構成されており、
筐体背面部には、第１の開口部と第２の開口部が少なくとも形成されており、
前記第１の開口部の最大長さは１００ｍｍ以上であり、且つ前記第１の開口部の形状は前記所定の基板ケースが通過できないよう構成されており、
前記第１の開口部から作業者の手指を挿入して解錠部に対して解錠操作が行われることにより前扉と筐体とを解錠可能となっており、
解錠部は前記第２の開口部から視認可能となっており、
前記所定の基板ケースは上カバーと下カバーとから構成されており、
上カバーの或る面には、上カバーの成型時のゲート跡を有し、
前記所定の制御基板の一方の面には演算機能を備えた所定のＩＣが搭載されており、
前記所定の基板ケースに前記所定の制御基板が収容されている状態では、上カバーを介して前記所定のＩＣが視認可能となっており、
上カバーの前記或る面に対して垂直な方向における前記所定のＩＣと重なる範囲には、ゲート跡を有さないよう構成されている
遊技機。
【手続補正２】
【補正対象書類名】明細書
【補正対象項目名】０００５
【補正方法】変更
【補正の内容】
【０００５】
本態様に係る遊技機は、
前扉により閉鎖される筐体と、
所定の制御基板と、
前記所定の制御基板を収容する所定の基板ケースと、
リセットボタンと、
マックスベットボタンと
を備え、
前扉と筐体とが施錠可能であり、
前記所定の基板ケースは筐体内部に取り付けられるよう構成されており、
筐体背面部には、第１の開口部と第２の開口部が少なくとも形成されており、
前記第１の開口部の最大長さは１００ｍｍ以上であり、且つ前記第１の開口部の形状は前記所定の基板ケースが通過できないよう構成されており、
前記第１の開口部から作業者の手指を挿入して解錠部に対して解錠操作が行われることにより前扉と筐体とを解錠可能となっており、
解錠部は前記第２の開口部から視認可能となっており、
前記所定の基板ケースは上カバーと下カバーとから構成されており、
上カバーの或る面には、上カバーの成型時のゲート跡を有し、
前記所定の制御基板の一方の面には演算機能を備えた所定のＩＣが搭載されており、
前記所定の基板ケースに前記所定の制御基板が収容されている状態では、上カバーを介して前記所定のＩＣが視認可能となっており、
上カバーの前記或る面に対して垂直な方向における前記所定のＩＣと重なる範囲には、ゲート跡を有さないよう構成されている
遊技機である。
＜付記＞
尚、本態様とは異なる別態様について以下に列記しておくが、これらには何ら限定されることなく実施することが可能である。
本別態様に係る遊技機は、
有利区間と、通常区間とがあり、
前記有利区間において、所定条件を満たすことで前記通常区間に移行可能であり、
前記通常区間において、特定条件を満たすことで前記有利区間に移行可能であり、
前記有利区間における遊技状態として、遊技者にとって有利となる有利遊技を実行可能な有利状態と、前記有利状態へ移行するか否かの抽選を実行可能な通常状態とがあり、
所定のカウンタを有しており、
前記有利状態にある第Ｘ回目の前記有利区間において前記通常状態に移行してから、前記通常区間を介して移行した第Ｘ＋１回目の前記有利区間における所定タイミングまでに亘って、前記所定のカウンタに記憶されているカウンタ値をクリアせずに更新可能に構成されている
ことを特徴とする遊技機である。
【手続補正書】
【提出日】令和3年2月18日(2021.2.18)
【手続補正１】
【補正対象書類名】明細書
【補正対象項目名】００５８
【補正方法】変更
【補正の内容】
【００５８】
腰周り伸縮部４５と変形基点部８０によって脚周り伸縮部４２よりも前側の領域における吸収コア３１の変形をコントロールできるため、使用前におむつ１０が身体に沿うような形状を実現できる。図１０は、パッケージから使い捨ておむつを取り出した状態を示しており、使用前の状態を示している。図１０（ａ）は、比較例に係る使い捨ておむつ１００であり、（ｂ）は、実施の形態に係る使い捨ておむつ１０である。パッケージから取り出した状態で、使い捨ておむつは、使い捨ておむつ１０の幅方向Ｗの側部が肌面側に折り畳まれた状態で、前後方向Ｌに２つに折り畳まれている。そのため、図１０に示す使い捨ておむつは、非肌面側が外側であって、前胴周り域Ｓ１が上側に向かって配置されている。
【手続補正２】
【補正対象書類名】明細書
【補正対象項目名】００５９
【補正方法】変更
【補正の内容】
【００５９】
比較例に係る使い捨ておむつ１００の脚周り伸縮部よりも前側の領域は、使用前の状態で、脚周り伸縮部の前後方向Ｌに収縮によって後側に引っ張られ、非肌面側に向かって浮き上がっている。一般的に、着用者には、下腹部の凹みが形成されており、おむつの前端部が全体的に非肌面側に膨らんでいると、使用者は、着用者の下腹部にフィットしない印象となり、フィット性に対する安心感を得にくいことがある。  
【手続補正３】
【補正対象書類名】図面
【補正対象項目名】図２
【補正方法】変更
【補正の内容】
【図２】
2020195428.tif 000001
【手続補正４】
【補正対象書類名】図面
【補正対象項目名】図３
【補正方法】変更
【補正の内容】
【図３】
2020195428.tif 000002
【手続補正５】
【補正対象書類名】図面
【補正対象項目名】図１０
【補正方法】変更
【補正の内容】
【図１０】
2020195428.tif 000003
【手続補正書】
【提出日】令和3年2月5日(2021.2.5)
【手続補正１】
【補正対象書類名】特許請求の範囲
【補正対象項目名】請求項１
【補正方法】変更
【補正の内容】
【請求項１】
遊技球が流下可能な遊技領域を有する遊技盤と、
前記遊技領域を流下する遊技球が入球可能な始動入球手段と、
少なくとも右打ち遊技が行われる場合に前記遊技領域を流下する遊技球が入球可能な位置に設けられ、遊技球が入球し難い閉状態と、前記閉状態よりも遊技球が入球し易い開状態とに変化する可変入球手段と、
前記始動入球手段に入球した遊技球を検出する入球検出手段と、
前記入球検出手段による遊技球の検出に基づいて特別遊技状態を生じさせるか否かを決定可能な抽選を行う抽選手段と、を備え、
前記抽選の結果が特定結果となった場合に、前記特別遊技状態として、前記可変入球手段が前記開状態と前記閉状態とに変化する遊技を複数回実行する遊技機であって、
少なくとも前記可変入球手段に向けて発射される遊技球のうちの一部の遊技球を、所定タイミングにおいて特定流路へと流下させないように所定位置に位置させることが可能な第１状態と、前記所定位置に位置している遊技球を特定流路へと流下させることが可能な第２状態と、に可変可能な可変手段と、
前記特定流路へと流下した遊技球でなければ入球し難い位置に設けられ、遊技球の入球に基づいて所定の遊技価値が得られる特定領域と、
遊技者の操作を受ける操作手段と、
通常の遊技状態では実行を促さず、前記特別遊技状態のうち所定の特別遊技状態では実行を促す遊技者による前記操作手段の所定操作によって所定条件が満たされた場合に態様が変化する所定の演出を制御する操作演出制御手段と、
前記特定流路へと流下した遊技球を前記特定領域に入賞し難くする第１位置と、前記特定流路へと流下した遊技球を前記特定領域に入賞し易くする第２位置とに変化する振分動作が行われる振分部材と、
前記振分部材の前記振分動作を制御する振分動作制御手段を備え、
前記操作演出制御手段は、前記所定の特別遊技状態中に、前記振分部材が前記第２位置にくるタイミングに対応して行われる前記操作手段に対する前記所定操作の要求表示を前記タイミングより所定時間前に表示手段に表示するよう制御する
ことを特徴とする遊技機。
【手続補正２】
【補正対象書類名】明細書
【補正対象項目名】０００７
【補正方法】変更
【補正の内容】
【０００７】
本発明は、このような目的を達成するために、次のような構成をとる。
すなわち、請求項１に記載の発明は、
遊技球が流下可能な遊技領域を有する遊技盤と、
前記遊技領域を流下する遊技球が入球可能な始動入球手段と、
少なくとも右打ち遊技が行われる場合に前記遊技領域を流下する遊技球が入球可能な位置に設けられ、遊技球が入球し難い閉状態と、前記閉状態よりも遊技球が入球し易い開状態とに変化する可変入球手段と、
前記始動入球手段に入球した遊技球を検出する入球検出手段と、
前記入球検出手段による遊技球の検出に基づいて特別遊技状態を生じさせるか否かを決定可能な抽選を行う抽選手段と、を備え、
前記抽選の結果が特定結果となった場合に、前記特別遊技状態として、前記可変入球手段が前記開状態と前記閉状態とに変化する遊技を複数回実行する遊技機であって、
少なくとも前記可変入球手段に向けて発射される遊技球のうちの一部の遊技球を、所定タイミングにおいて特定流路へと流下させないように所定位置に位置させることが可能な第１状態と、前記所定位置に位置している遊技球を特定流路へと流下させることが可能な第２状態と、に可変可能な可変手段と、
前記特定流路へと流下した遊技球でなければ入球し難い位置に設けられ、遊技球の入球に基づいて所定の遊技価値が得られる特定領域と、
遊技者の操作を受ける操作手段と、
通常の遊技状態では実行を促さず、前記特別遊技状態のうち所定の特別遊技状態では実行を促す遊技者による前記操作手段の所定操作によって所定条件が満たされた場合に態様が変化する所定の演出を制御する操作演出制御手段と、
前記特定流路へと流下した遊技球を前記特定領域に入賞し難くする第１位置と、前記特定流路へと流下した遊技球を前記特定領域に入賞し易くする第２位置とに変化する振分動作が行われる振分部材と、
前記振分部材の前記振分動作を制御する振分動作制御手段を備え、
前記操作演出制御手段は、前記所定の特別遊技状態中に、前記振分部材が前記第２位置にくるタイミングに対応して行われる前記操作手段に対する前記所定操作の要求表示を前記タイミングより所定時間前に表示手段に表示するよう制御する
ことを特徴とする。
【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
酸性有機性廃液を１０〜１０００倍のパルプ排水と混合し、好気性生物処理する好気性生物処理工程を含み、
前記好気性生物処理工程においてｐＨ調整をしない、水処理方法。
【請求項２】
前記酸性有機性廃液が弱酸性である、請求項１に記載の水処理方法。
【請求項３】
前記酸性有機性廃液のｐＨが３〜６である、請求項１または２に記載の水処理方法。
【請求項４】
前記酸性有機性廃液のＣＯＤＭｎが１００００〜１０００００ｐｐｍであり、
前記酸性有機性廃液のＳＳが３０００００ｍｇ／Ｌ以下である、請求項１〜３のいずれか一項に記載の水処理方法。
【請求項５】
前記酸性有機性廃液を前記パルプ排水に対して断続的に投入する、請求項１〜４のいずれか一項に記載の水処理方法。
【請求項６】
前記酸性有機性廃液が酒類蒸留廃液、醸造液、酒類粕またはジュース類粕を含む、請求項１〜５のいずれか一項に記載の水処理方法。
【請求項７】
前記酸性有機性廃液が焼酎蒸留廃液または柑橘類ジュース製造工場からの排水を含む、請求項１〜６のいずれか一項に記載の水処理方法。
【請求項８】
前記好気性生物処理工程を、２段以上の好気性生物処理槽を用いて行い、
１段目の前記好気性生物処理槽と、２段目以降のうち少なくとも１槽の前記好気性生物処理槽とのそれぞれに前記酸性有機性廃液を投入する、請求項１〜７のいずれか一項に記載の水処理方法。
【請求項９】
酸性有機性廃液を１０〜１０００倍のパルプ排水と混合し、好気性生物処理する好気性生物処理装置を備える水処理装置であって、
前記好気性生物処理装置がｐＨ調整手段を備えず、
前記好気性生物処理装置が２段以上の好気性生物処理槽を備え、
１段目の前記好気性生物処理槽と、２段目以降のうち少なくとも１槽の前記好気性生物処理槽とのそれぞれに前記酸性有機性廃液の投入手段を備える、水処理装置。
【請求項１０】
１段目の前記好気性生物処理槽に前記パルプ排水の投入手段を備える、請求項９に記載の水処理装置。
【請求項１１】
前記酸性有機性廃液の投入手段が、断続的投入手段である、請求項９または１０に記載の水処理装置。
【請求項１２】
前記好気性生物処理装置の下流に固液分離手段を備える、請求項９〜１１のいずれか一項に記載の水処理装置。
【請求項１３】
前記固液分離手段から、汚泥の一部を前記好気性生物処理槽に返送する返送手段を備える、請求項１２に記載の水処理装置。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
注射器及び薬品容器のいずれか一方又は両方を任意の位置に移動させることが可能な第１駆動手段と、
前記注射器を操作可能な第２駆動手段と、
前記薬品容器の開口部が下方に向けられ、前記注射器の注射針の先端が上方に向けられた状態で、前記第２駆動手段を制御して前記注射器により前記薬品容器から薬液を吸引する吸引工程を実行させる第１０制御手段と、
前記第１駆動手段を制御して前記吸引工程において前記薬品容器内の薬液量が減少するに従って前記注射器の注射針の前記薬品容器への挿入量を段階的に減少させる第１１制御手段と、
を備える混注装置。
【請求項２】
注射器及び薬品容器のいずれか一方又は両方を任意の位置に移動させることが可能な第１駆動手段と、前記注射器を操作可能な第２駆動手段と、を備える混注装置を制御するプロセッサーに、
前記薬品容器の開口部が下方に向けられ、前記注射器の注射針の先端が上方に向けられた状態で、前記第２駆動手段を制御して前記注射器により前記薬品容器から薬液を吸引する吸引工程を実行させるステップと、
前記第１駆動手段を制御して前記吸引工程において前記薬品容器内の薬液量が減少するに従って前記注射器の注射針の前記薬品容器への挿入量を段階的に減少させるステップと、
を実行させるための混注制御プログラム。
【手続補正書】
【提出日】令和2年11月20日(2020.11.20)
【手続補正１】
【補正対象書類名】特許請求の範囲
【補正対象項目名】全文
【補正方法】変更
【補正の内容】
【特許請求の範囲】
【請求項１】
遊技が可能であって、遊技者にとって有利な有利状態に制御可能な遊技機であって、
識別情報を所定方向に可変表示する可変表示手段と、
所定の予告演出を実行可能な予告演出実行手段と、
を備え、
前記所定の予告演出は、識別情報の可変表示を視認不可または視認困難とするように実行され、
停止表示している識別情報を前記所定方向と異なる特定方向に始動させる特定始動を実行してから前記所定の予告演出を実行し、該所定の予告演出の終了後に識別情報の前記所定方向への可変表示を開始可能であり、
前記所定の予告演出と共通の表示領域において特定演出を実行可能であり、
前記所定の予告演出が実行されるときに前記特定演出を第１のタイミングにて実行可能であり、
前記所定の予告演出が実行されないときに前記特定演出を前記第１のタイミングとは異なる第２のタイミングにて実行可能であり、
前記所定の予告演出の実行とともに、前記有利状態に制御されることを示唆する示唆表示を表示可能であり、
前記示唆表示は、前記所定の予告演出より優先して表示される、
ことを特徴とする遊技機。
【手続補正２】
【補正対象書類名】明細書
【補正対象項目名】０００３
【補正方法】変更
【補正の内容】
【０００３】
この種の可動体を備えたパチンコ遊技機として、例えば、移動体を第１位置から第２位置へと移動可能としたものとして、第２位置において、移動体の移動を受け止める規制部材と該移動体の端部との間に緩衝部材を設けたもの等があった（例えば、特許文献１参照）。さらには、識別情報の可変表示の開始時に該識別情報の表示態様を視認困難等とする所定の予告演出を実行可能な遊技機あった（例えば、特許文献２参照）。特許文献２では、図２０（Ｂ）に示すように変動開始時に液晶表示器４２の全画面に暗転画像８３を表示して装飾図柄８０ａ〜８０ｃの表示態様を視認困難とするブラックアウト演出といった全画面を覆う予告演出）を実行することが開示されている。
【手続補正３】
【補正対象書類名】明細書
【補正対象項目名】０００４
【補正方法】変更
【補正の内容】
【０００４】
【特許文献１】特開２０１５−１９８７５４号公報
【特許文献２】特開２００６−１２２２６５号公報
【手続補正４】
【補正対象書類名】明細書
【補正対象項目名】０００５
【補正方法】変更
【補正の内容】
【０００５】
上記特許文献２に記載の遊技機では、識別情報の表示態様を視認困難等とする所定の予告演出によって識別情報の動き出しがわかりにくくなってしまうことがあり、遊技の興趣を向上させることができないという問題がある。
【手続補正５】
【補正対象書類名】明細書
【補正対象項目名】０００６
【補正方法】変更
【補正の内容】
【０００６】
本発明は、このような問題点に着目してなされたもので、識別情報の動き出しがわかりにくくなってしまうことを防止でき、遊技の興趣を向上できる遊技機を提供することを目的とする。
【手続補正６】
【補正対象書類名】明細書
【補正対象項目名】０００７
【補正方法】変更
【補正の内容】
【０００７】
（Ａ）上記目的を達成するため、本願に係る遊技機は、遊技が可能であって、遊技者にとって有利な有利状態に制御可能な遊技機であって、識別情報を所定方向に可変表示する可変表示手段と、所定の予告演出を実行可能な予告演出実行手段と、を備え、前記所定の予告演出は、識別情報の可変表示を視認不可または視認困難とするように実行され、停止表示している識別情報を前記所定方向と異なる特定方向に始動させる特定始動を実行してから前記所定の予告演出を実行し、該所定の予告演出の終了後に識別情報の前記所定方向への可変表示を開始可能であり、前記所定の予告演出と共通の表示領域において特定演出を実行可能であり、前記所定の予告演出が実行されるときに前記特定演出を第１のタイミングにて実行可能であり、前記所定の予告演出が実行されないときに前記特定演出を前記第１のタイミングとは異なる第２のタイミングにて実行可能であり、前記所定の予告演出の実行とともに、前記有利状態に制御されることを示唆する示唆表示を表示可能であり、前記示唆表示は、前記所定の予告演出より優先して表示される、ことを特徴としている。
（１）他の遊技機（例えば、パチンコ遊技機１、６００）は、遊技が可能な遊技機（例えば、パチンコ遊技機１など）であって、識別情報（例えば、飾り図柄など）を所定方向へと可変表示する可変表示手段（例えば、画像表示装置５など）と、所定の予告演出（例えば、全画面予告演出など）を実行可能な予告演出実行手段（例えば、ステップＳ３２２Ａ、Ｓ３４４Ａの処理を実行する演出制御用ＣＰＵ１２０など）と、第１位置と該第１位置とは異なる第２位置との間で移動可能な移動体（例えば、可動体３０２）と、前記移動体が前記第１位置から前記第２位置へ移動したときに該移動体の前記第１位置と反対側への移動を規制する第１規制部（例えば、駆動体３１０Ｌ，３１０Ｒ）と、前記第１規制部により前記移動体の移動が前記第２位置にて規制されたときに該移動体の前記第１位置と反対側への移動を前記第１規制部を介して規制する第２規制部（例えば、カバー部材３０７Ｌ，３０７Ｒの下部３３６Ｌ，３３６Ｒ）と、前記移動体と前記第１規制部との間で生じる衝撃を緩和する第１衝撃緩和手段（例えば、第１弾性部材３３４Ｌ，３３４Ｒ）と、前記第１規制部と前記第２規制部との間に生じる衝撃を緩和する第２衝撃緩和手段（例えば、第２弾性部材３３５Ｌ，３３５Ｒ）と、を備え（例えば、図８及び図９参照）、前記所定の予告演出は、前記可変表示の開始時に前記識別情報の表示態様を視認不可または視認困難とするように実行され（例えば、ステップＳ３２２Ａ、Ｓ３４４Ａの処理を実行する演出制御用ＣＰＵ１２０により、図４１（Ｂ２）、図４３（Ｂ２）または図４５（Ｂ２）に示すような飾り図柄が視認不可になるブラックアウト演出など）、前記識別情報は、前記所定の予告演出が実行される際に、該所定の予告演出の実行期間の経過後に前記所定方向への可変表示の開始が可能である（例えば、ステップＳ３２２Ａの処理を実行する演出制御用ＣＰＵ１２０により、図４１（Ｂ２）、図４３（Ｂ２）または図４５（Ｂ２）に示すブラックアウト演出の実行期間の経過後に図４１（Ｄ２）、（Ｅ２）、図４３（Ｄ）、（Ｅ）または図４５（Ｄ２）に示すように飾り図柄の順方向への変動が開始されるなど）ことを特徴としている。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
抽選処理を実行する抽選手段と、
前記抽選処理において所定抽選結果となったことに基づき、当該所定抽選結果となったゲームよりも後のゲームにおいて所定対応状況となるようにする所定対応手段と、
第１区間よりも遊技者に有利な第２区間に遊技区間を設定する区間設定手段と、
前記第２区間において遊技者に有利な有利遊技状態に滞在させる有利設定手段と、
前記第２区間において実行されたゲーム数が上限ゲーム数となったことに基づいて当該第２区間を終了させる区間終了手段と、
前記第２区間において実行されたゲーム数が前記上限ゲーム数となったことに基づいて当該第２区間が終了する場合、前記有利遊技状態を終了させる手段と、
を備え、
所定遊技状態の終了後に前記有利遊技状態に移行する場合と、前記所定遊技状態の終了後に前記有利遊技状態に移行させない場合とがある構成であり、
前記区間設定手段は、
前記第２区間において実行されたゲーム数が前記上限ゲーム数となる前に前記有利遊技状態が終了したことに基づいて、その後も前記第２区間が継続する第２区間継続状況となるようにする区間継続手段と、
終了後に前記有利遊技状態に移行する場合及び終了後に前記有利遊技状態に移行しない場合のいずれであっても、前記所定遊技状態において前記遊技区間が前記第２区間であるようにする手段と、
を備え、
前記有利設定手段は、前記第２区間継続状況において前記所定対応状況となったことに基づいて前記有利遊技状態に移行させることを特徴とする遊技機。
【請求項２】
遊技価値を利用して遊技が行われることを特徴とする請求項１に記載の遊技機。
【手続補正２】
【補正対象書類名】明細書
【補正対象項目名】０００５
【補正方法】変更
【補正の内容】
【０００５】
ここで、上記例示等のような遊技機においては遊技の興趣向上を図る必要があり、この点について未だ改良の余地がある。
【手続補正３】
【補正対象書類名】明細書
【補正対象項目名】０００７
【補正方法】変更
【補正の内容】
【０００７】
本発明は、上記例示した事情等に鑑みてなされたものであり、遊技の興趣向上を図ることが可能な遊技機を提供することを目的とするものである。
【手続補正４】
【補正対象書類名】明細書
【補正対象項目名】０００８
【補正方法】変更
【補正の内容】
【０００８】
上記課題を解決すべく請求項１記載の発明は、抽選処理を実行する抽選手段と、
前記抽選処理において所定抽選結果となったことに基づき、当該所定抽選結果となったゲームよりも後のゲームにおいて所定対応状況となるようにする所定対応手段と、
第１区間よりも遊技者に有利な第２区間に遊技区間を設定する区間設定手段と、
前記第２区間において遊技者に有利な有利遊技状態に滞在させる有利設定手段と、
前記第２区間において実行されたゲーム数が上限ゲーム数となったことに基づいて当該第２区間を終了させる区間終了手段と、
前記第２区間において実行されたゲーム数が前記上限ゲーム数となったことに基づいて当該第２区間が終了する場合、前記有利遊技状態を終了させる手段と、
を備え、
所定遊技状態の終了後に前記有利遊技状態に移行する場合と、前記所定遊技状態の終了後に前記有利遊技状態に移行させない場合とがある構成であり、
前記区間設定手段は、
前記第２区間において実行されたゲーム数が前記上限ゲーム数となる前に前記有利遊技状態が終了したことに基づいて、その後も前記第２区間が継続する第２区間継続状況となるようにする区間継続手段と、
終了後に前記有利遊技状態に移行する場合及び終了後に前記有利遊技状態に移行しない場合のいずれであっても、前記所定遊技状態において前記遊技区間が前記第２区間であるようにする手段と、
を備え、
前記有利設定手段は、前記第２区間継続状況において前記所定対応状況となったことに基づいて前記有利遊技状態に移行させることを特徴とする。
【手続補正５】
【補正対象書類名】明細書
【補正対象項目名】０００９
【補正方法】変更
【補正の内容】
【０００９】
本発明によれば、遊技の興趣向上を図ることが可能となる。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
特定表示手段と、
表示対応記憶領域に表示対応情報を設定する設定手段と、
前記表示対応記憶領域に記憶された前記表示対応情報に対応する表示が行われるように前記特定表示手段を表示制御する特定表示制御手段と、
動作電力の供給が開始されたことに基づいて、所定の記憶領域を初期化する初期化手段と、
を備えていることを特徴とする遊技機。
【手続補正２】
【補正対象書類名】明細書
【補正対象項目名】０００７
【補正方法】変更
【補正の内容】
【０００７】
上記課題を解決すべく請求項１記載の発明は、特定表示手段と、
表示対応記憶領域に表示対応情報を設定する設定手段と、
前記表示対応記憶領域に記憶された前記表示対応情報に対応する表示が行われるように前記特定表示手段を表示制御する特定表示制御手段と、
動作電力の供給が開始されたことに基づいて、所定の記憶領域を初期化する初期化手段と、
を備えていることを特徴とする。
【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
識別情報を表示可能な識別情報表示部と、
遊技の進行を制御する主遊技部と
を備え、
主遊技部は、
始動口への入球に基づき、乱数を取得する乱数取得手段と、
乱数に基づき当否判定を実行し、当該当否判定の結果に基づき識別情報の停止表示態様と識別情報の変動表示態様とを決定する遊技内容決定手段と、
遊技内容決定手段による決定に従い、識別情報表示部にて識別情報を変動表示させた後に識別情報を停止表示させるよう制御する識別情報表示制御手段と、
を備え、
情報が記憶されているデータテーブルを更に有しており、
前記データテーブルは、少なくとも、複数の記憶領域を有しており、
前記データテーブルは、遊技に使用するデータが記憶されている記憶領域と、遊技に使用されないデータが記憶されている記憶領域とを有しており、
前記データテーブルの記憶領域のうち、遊技に使用される記憶領域には対応するデータが記憶され、前記データテーブルの記憶領域のうち、遊技に使用されない記憶領域には０が記憶されている
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
遊技球が入球可能な始動口と、
識別情報を表示可能な識別情報表示部と、
遊技の進行を制御する主遊技部と
を備え、
主遊技部は、
始動口への入球に基づき、乱数を取得する乱数取得手段と、
乱数に基づき当否判定を実行し、当該当否判定の結果に基づき識別情報の停止表示態様と識別情報の変動表示態様とを決定する遊技内容決定手段と、
遊技内容決定手段による決定に従い、識別情報表示部にて識別情報を変動表示させた後に識別情報を停止表示させるよう制御する識別情報表示制御手段と、
を備え、
情報が記憶されているデータテーブルを更に有しており、
前記データテーブルは、少なくとも、複数の記憶領域を有しており、
前記データテーブルは、遊技に使用するデータが記憶されている記憶領域と、遊技に使用されないデータが記憶されている記憶領域とを有しており、
前記データテーブルの記憶領域のうち、遊技に使用される記憶領域には対応するデータが記憶され、前記データテーブルの記憶領域のうち、遊技に使用されない記憶領域には０が記憶されている
ことを特徴とするぱちんこ遊技機である。
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
光コヒーレンス断層撮影および二光子発光の複合血管内撮像のためのカテーテルベースの撮像装置（５０）であって、前記装置は、
第１の波長を放出するように構成されている光コヒーレンス断層撮影光源（１００）と、
前記コヒーレンス断層撮影光源から放出される前記第１の波長を基準経路およびサンプル経路に向かわせるように構成されているスプリッタ（２００）と、
７６０〜１０４０ｎｍの間の第２の波長を放出するように構成されている短パルス光源（３００）と、
前記第１および第２の波長を前記サンプル経路に向かわせるように構成されている第１のダイクロイック要素（４００）と、
サンプル部位から放出される二光子発光を光子計数検出器の方へ向かわせるように構成されている第２のダイクロイック要素（４５０）であって、前記光子計数検出器は、二光子発光を検出するように構成されている、第２のダイクロイック要素（４５０）と
を備え、
前記装置は、光コヒーレンス断層撮影像上で位置合わせされた二光子発光画像を見るための処理要素を備え、
前記サンプル経路は、ダブルクラッドフォトニック結晶ファイバを通して向かわせられ、前記ダブルクラッドフォトニック結晶ファイバは、マルチモードファイバ構造に組み込まれた単一モードコアを備え、
前記単一モードコアは、前記マルチモードファイバ構造よりも低い開口数（ＮＡ）を有する、装置。
【請求項２】
前記光コヒーレンス断層撮影光源は、
ａ）掃引源光コヒーレンス断層撮影光源として構成されているか、または、
ｂ）広帯域光コヒーレンス断層撮影光源として構成されている、
請求項１に記載の装置。
【請求項３】
平衡検出器（２５０）をさらに備えており、好ましくは、前記平衡検出器は、前記サンプル部位から後方散乱される非干渉ＯＣＴ構成要素を最小化するように構成されている、請求項１に記載の装置。
【請求項４】
光子計数検出器（３５０）をさらに備えており、
前記光子計数検出器（３５０）は、
ａ）光電子増倍管、または、
ｂ）アバランシェフォトダイオード
であり得る、請求項１に記載の装置。
【請求項５】
前記サンプル経路は、ナノ粒子を備えているサンプル部位に向かわせられるように適合されている、請求項１に記載の装置。
【請求項６】
前記ナノ粒子は、ナノロッドとして構成されており、好ましくは、前記ナノロッドは、金を含み、約７５６ｎｍの表面プラズモン共鳴を有する、請求項５に記載の装置。
【請求項７】
分散補償要素をさらに備えており、
前記分散補償要素は、
ａ）前記基準経路と前記サンプル経路との間の分散差を補償するように構成されているか、または、
ｂ）二光子発光励起光を事前補償するように構成されているか
であり得る、請求項１に記載の装置。
【請求項８】
サンプル部位を血管内撮像する方法であって、前記方法は、
サンプル部位に向かって光コヒーレンス断層撮影光源から第１の波長を放出することと、
前記サンプル部位に向かって短パルス光源から７６０〜１０４０ｎｍの間の第２の波長を放出することと
を含み、
前記光コヒーレンス断層撮影光源からの前記第１の波長および前記短パルス光源からの前記第２の波長は、ダブルクラッドフォトニック結晶ファイバを通して同時に伝送され、
前記ダブルクラッドフォトニック結晶ファイバは、マルチモードファイバ構造に組み込まれた単一モードコアを備え、
前記単一モードコアは、前記マルチモードファイバ構造よりも低い開口数（ＮＡ）を有し、
前記方法は、
前記サンプル部位からの光コヒーレンス断層撮影信号を検出することであって、前記光コヒーレンス断層撮影信号は、前記第１の波長から生成される、ことと、
前記サンプル部位からの二光子発光放出信号を検出することであって、前記二光子発光放出信号は、前記第２の波長によって誘導される、ことと
をさらに含み、
前記二光子発光放出は、前記第１の波長および前記第２の波長と同時に伝送され、
前記二光子発光放出信号は、前記第１の波長および前記第２の波長と反対方向に伝送され、
前記方法は、
前記光コヒーレンス断層撮影データおよび前記二光子発光データを複合画像で同時に表示することをさらに含み、
前記撮像システムは、ヒト冠状動脈の二光子発光および光コヒーレンス断層撮影の画像をマージすることが可能である血管内のカテーテルベースの撮像システムである、方法。
【請求項９】
前記光コヒーレンス断層撮影信号および前記二光子発光信号は、複数のサンプル部位から検出される、請求項８に記載の方法。
【請求項１０】
前記サンプルは、組織を含み、
前記組織は、好ましくは、
ａ）上皮組織、または、
ｂ）動脈組織であって、前記動脈組織は、冠状動脈の中に位置し得る、動脈組織、
ｃ）血管管腔表面
である、請求項８に記載の方法。
【請求項１１】
前記光コヒーレンス断層撮影信号は、光コヒーレンス断層撮影像を生成するために使用される、請求項８に記載の方法。
【請求項１２】
前記二光子発光信号は、光コヒーレンス断層撮影像と位置合わせされる、請求項８に記載の方法。
【請求項１３】
前記方法は、
撮像システムで光コヒーレンス断層撮影データを取得することと、
前記撮像システムで複数の発光粒子から二光子発光データを取得することと
をさらに含み、
前記光コヒーレンス断層撮影データは、前記光コヒーレンス断層撮影光源から前記第１の波長において放出される光から生成され、
前記二光子発光データは、前記短パルス光源から前記第２の波長において放出される光から生成される、請求項８に記載の方法。
【請求項１４】
前記発光粒子は、ナノ粒子である、請求項１３に記載の方法。
【請求項１５】
前記カテーテルベースの撮像システムが管腔に沿って軸方向に移動させられるにつれて前記カテーテルベースの撮像システムから取得されるデータに基づいて、３次元画像を生成することをさらに含む、請求項１４に記載の方法。